(57)【要約】【課題】天地を逆さにすることで、座面の高さが変更できる幼児用椅子であって、かつ保護枠（安全バー）が両面側から着脱可能に取り付けられ、安全性と利便性に優れた幼児用椅子を提供する。【解決手段】本発明に係る幼児用椅子１は、座面部１３と、座面部１３を囲むと共に座面部１３よりも下方に延出するリング状の上接合部１５と、座面部１３の側面側及び背面側に立ち上がるように形成された周壁部１１とを有する射出成形によって一体成形された上側椅子部材５と、基本構造が上側椅子部材５と同じで周壁部１１の高さが異なる下側椅子部材７とを有し、上側椅子部材５の上接合部１５と下側椅子部材７の下接合部１６とを下側椅子部材７を天地逆転させた状態で接合してなる中空の本体部３と、本体部３に着脱可能に取り付けられる安全バー９とを備えてなることを特徴とするものである。【選択図】  図１
2014023822.tif 000002
【特許請求の範囲】
【請求項１】
座面部と、該座面部を囲むと共に該座面部よりも下方に延出するリング状の接合部と、前記座面部の側面側及び背面側に立ち上がるように形成された周壁部とを有する射出成形によって一体成形された上側椅子部材と、
座面部と、該座面部を囲むと共に該座面部よりも下方に延出するリング状の接合部と、前記座面部の側面側及び背面側に立ち上がるように形成された前記上側椅子部材の周壁部と異なる高さの周壁部とを有する射出成形によって一体成形された下側椅子部材とを有し、
前記上側椅子部材の接合部と前記下側椅子部材の接合部とを前記下側椅子部材を天地逆転させた状態で接合してなる中空の本体部と、該本体部に着脱可能に取り付けられる安全バーとを備え、
前記上側椅子部材及び前記下側椅子部材の周壁部は、前記座面部の両側縁及び後縁から上方に立ち上がる内壁部と該内壁部の上端から所定の間隔を隔てて下方へ延びる外壁部を有し、該外壁部の下部が前記接合部に連続するように形成され、
かつ、前記上側椅子部材及び下側椅子部材の座面部には前記安全バーが着脱可能に取り付けられる安全バー取付部を備えてなることを特徴とする幼児用椅子。
【請求項２】
前記安全バー取付部に着脱可能に取り付けられる安全バーを少なくとも１本有し、
前記安全バー取付部は、座面部から隆起し、筒部によって形成された穴部を有する膨出部を備えてなり、安全バーの柱部の下端を前記穴部に挿入して着脱可能に取り付けるようにしたことを特徴とする請求項１記載の幼児用椅子。
【請求項３】
膨出部の穴部を形成する筒部には係止部が形成され、前記安全バーの柱部には前記係止部に係合する係合片が設けられていることを特徴とする請求項２記載の幼児用椅子。
【請求項４】
前記上側椅子部材と前記下側椅子部材に形成された膨出部の穴部は同形であることを特徴とする請求項２又は３記載の幼児用椅子。
【請求項５】
前記上側椅子部材と前記下側椅子部材に形成された膨出部の穴部は底板を有し、前記上側椅子部材側の底板と前記下側椅子部材側の底板が接合されていることを特徴とする請求項２乃至４のいずれか一項に記載の幼児用椅子。
【請求項６】
前記安全バーの前記柱部における前記穴部に挿入される部位の長さが、前記安全バーの全高の１/４以上に設定されていることを特徴とする請求項２乃至５のいずれか一項に記載の幼児用椅子。
【請求項７】
前記膨出部の高さが、前記安全バーの全高の１/４以上であって、前記周壁部の高さよりも低く設定されていることを特徴とする請求項２乃至６のいずれか１項に記載の幼児用椅子。
【請求項８】
前記周壁部の上部に、前記周壁部の上端面に載置するテーブルに係止する係止部を設けたことを特徴とする請求項２乃至７のいずれか一項に記載の幼児用椅子。
【発明の詳細な説明】
【技術分野】
【０００１】
本発明は、大人用の椅子等に載置して、補助椅子として使用する幼児用椅子に関する。
【背景技術】
【０００２】
幼児は大人に比較して座高が低いため、大人用の椅子に座るとテーブルが高すぎることになる。そこで、大人用の椅子に載置して幼児の座高が低いのを補うための椅子として、例えば特許文献１に開示された「子供用椅子」がある。
特許文献１に開示された子供用椅子は、天地を逆さまにすることで、座面の高さを変更でき、幼児の月令に応じて２パターンの使用ができるようにしたものである。
【０００３】
また、子供用椅子に関し、幼児が椅子からずり落ちたり、不用意に立ち上がったりしないようにするため、Ｔ字状の保護枠（本願発明の安全バーに相当）を着脱可能に取り付けたものが特許文献２に開示されている。
【先行技術文献】
【特許文献】
【０００４】
【特許文献１】特開昭５８−１６８２６２号公報
【特許文献２】特開昭５６−７３３５３号公報
【発明の概要】
【発明が解決しようとする課題】
【０００５】
特許文献１に開示された天地を反転させて座面の高さを変えることができる幼児用椅子は、内部が中空になっているため、中空製品を安価に製造できるブロー成形で製造されるのが一般的である。ブロー成形とは、熱可塑性樹脂をチューブ状に押出し、これを金型ではさんで、内側より圧縮空気を吹きこみ、金型内面に沿って膨らませ金型形状に転写し、そのまま冷却して金型から取り出して中空製品を成形する成形方法である。
【０００６】
しかしながら、ブロー成形では細部の形状を精度よく成形することができないため、幼児の椅子からのずり落ちや抜け出しを防止する手段を一体成形することができず、特許文献１に記載の幼児用椅子においては、特許文献２に開示されたような保護枠を設けることができず、別途安全ベルトを設けるのが一般である。
しかし、安全ベルトでは、操作性や安全性に難があることから、特許文献２に開示されたような保護枠を特許文献１の幼児用椅子に設けることが考えられる。
【０００７】
ところが、特許文献２の保護枠は椅子の片面のみに取り付ける機構であるから、両面から着脱可能に取り付けられる機構にはなっていないし、仮に両面に前記のような機構を設けようとしても、ブロー成形では成形精度の問題から前記のような機構を設けることは難しい。
【０００８】
本発明はかかる課題を解決するためになされたものであり、天地を逆さにすることで、座面の高さが変更できる幼児用椅子であって、かつ保護枠（安全バー）が両面側から着脱可能に取り付けられ、安全性と利便性に優れた幼児用椅子を提供することを目的としている。
【課題を解決するための手段】
【０００９】
（１）本発明に係る幼児用椅子は、座面部と、該座面部を囲むと共に該座面部よりも下方に延出するリング状の接合部と、前記座面部の側面側及び背面側に立ち上がるように形成された周壁部とを有する射出成形によって一体成形された上側椅子部材と、
座面部と、該座面部を囲むと共に該座面部よりも下方に延出するリング状の接合部と、前記座面部の側面側及び背面側に立ち上がるように形成された前記上側椅子部材の周壁部と異なる高さの周壁部とを有する射出成形によって一体成形された下側椅子部材とを有し、
前記上側椅子部材の接合部と前記下側椅子部材の接合部とを前記下側椅子部材を天地逆転させた状態で接合してなる中空の本体部と、該本体部に着脱可能に取り付けられる安全バーとを備え、
前記上側椅子部材及び前記下側椅子部材の周壁部は、前記座面部の両側縁及び後縁から上方に立ち上がる内壁部と該内壁部の上端から所定の間隔を隔てて下方へ延びる外壁部を有し、該外壁部の下部が前記接合部に連続するように形成され、
かつ、前記上側椅子部材及び下側椅子部材の座面部には前記安全バーが着脱可能に取り付けられる安全バー取付部を備えてなることを特徴とするものである。
【００１０】
（２）また、上記（１）に記載のものにおいて、前記安全バー取付部に着脱可能に取り付けられる安全バーを少なくとも１本有し、前記安全バー取付部は、座面部から隆起し、筒部によって形成された穴部を有する膨出部を備えてなり、安全バーの柱部の下端を前記穴部に挿入して着脱可能に取り付けるようにしたことを特徴とするものである。
【００１１】
（３）また、上記（２）に記載のものにおいて、膨出部の穴部を形成する筒部には係止部が形成され、前記安全バーの柱部には前記係止部に係合する係合片が設けられていることを特徴とするものである。
【００１２】
（４）また、上記（２）又は（３）に記載のものにおいて、前記上側椅子部材と前記下側椅子部材に形成された膨出部の穴部は同形であることを特徴とするものである。
【００１３】
（５）また、上記（２）乃至（４）のいずれかに記載のものにおいて、前記上側椅子部材と前記下側椅子部材に形成された膨出部の穴部は底板を有し、前記上側椅子部材側の底板と前記下側椅子部材側の底板が接合されていることを特徴とするものである。
【００１４】
（６）また、上記（２）乃至（５）のいずれかに記載のものにおいて、前記安全バーの前記柱部における前記穴部に挿入される部位の長さが、前記安全バーの全高の１/４以上に設定されていることを特徴とするものである。
【００１５】
（７）また、上記（２）乃至（６）のいずれかに記載のものにおいて、前記膨出部の高さが、前記安全バーの全高の１/４以上であって、前記周壁部の高さよりも低く設定されていることを特徴とするものである。
【００１６】
（８）また、上記（２）乃至（７）のいずれかに記載のものにおいて、前記周壁部の上部に、前記周壁部の上端面に載置するテーブルに係止する係止部を設けたことを特徴とするものである。
【発明の効果】
【００１７】
本発明に係る幼児用椅子は、上側椅子部材と下側椅子部材をそれぞれ射出成形によって成形し、これら上側椅子部材と下側椅子部材のそれぞれの座面部の下面を対向配置した状態で両部品を接合して本体部を形成しているので、この種の物品を従来成形方法であるブロー成形によって成形する場合に比較して、細部の寸法精度を向上させることができる。その結果、上側椅子部材と下側椅子部材のそれぞれに安全バー取付部を設け、該安全バー取付部に安全バーを着脱可能に取り付けるという寸法精度を要求される構造を実現できる。
また、本発明の幼児用椅子は、上側椅子部材と下側椅子部材のそれぞれの座面部に膨出部を設け、該膨出部に安全バーを着脱可能に取り付けるようにしているので、膨出部によって安全バーを支持する距離を長くでき、座面部を厚くすることなく安全バーを安定的に設置できる。しかも膨出部が乳幼児のずれ止めとして機能するので、一石二鳥の効果がある。
【図面の簡単な説明】
【００１８】
【図１】本発明の一実施の形態に係る幼児用椅子の斜視図である。
【図２】本発明の一実施の形態に係る幼児用椅子の正面図である。
【図３】本発明の一実施の形態に係る幼児用椅子の断面図である。
【図４】本発明の一実施の形態に係る幼児用椅子の安全バーの斜視図である。
【図５】本発明の一実施の形態に係る幼児用椅子の安全バーの断面図である。
【図６】本発明の一実施の形態に係る幼児用椅子の安全バーを取り外した状態の断面図である。
【図７】本発明の一実施の形態に係る幼児用椅子であって、図２における本体部を天地逆転させた状態の正面図である。
【図８】本発明の一実施の形態に係る幼児用椅子にテーブルを設置した状態を示す斜視図である。
【図９】本発明の一実施の形態に係る幼児用椅子にテーブルを設置した状態を示す正面図である。
【図１０】本発明の一実施の形態に係る幼児用椅子に安全バーを取り付けた状態の６面図と斜視図である。
【図１１】本発明の一実施の形態に係る幼児用椅子にテーブルを設置した状態の６面図と斜視図である。
【発明を実施するための形態】
【００１９】
本実施の形態に係る幼児用椅子１は、本体部３が上側椅子部材５と下側椅子部材７の２つの部品を接合して形成されている。
そして、本体部３の座面部１３の両面に着脱可能に取り付けられる安全バー９を備えている。
以下、各構成を詳細に説明する。
【００２０】
＜本体部＞
本体部３は、上側椅子部材５と下側椅子部材７の２つの部品を接合して形成され、両側面から背面に亘る周壁部１１と、該周壁部１１の高さ方向の中間位置より一方に偏った高さ部に形成された座面部１３とを有し、天地を逆転することで座面の高さが変わるようになっている。
以下においては、本体部３を構成する上側椅子部材５と下側椅子部材７についてそれぞれ説明し、その後で両者の接合構造及びその作用について説明する。
【００２１】
《上側椅子部材》
上側椅子部材５は、射出成形によって一体成形されている。射出成形（Injection
Molding）とは、加熱溶融させた材料を金型内に射出注入し、冷却・固化させることによって、成形品を得る方法である。
上側椅子部材５は、座面部１３と、座面部１３を囲むと共に座面部１３よりも下方に延出するリング状の上接合部１５と、座面部１３の側面側及び背面側に立ち上がるように形成された周壁部１１とを有している。
上側椅子部材５の周壁部１１は、座面部１３の両側縁及び後縁から上方に立ち上がる内壁部１１ａと内壁部１１ａの上端から所定の間隔を隔てて下方へ延びる外壁部１１ｂを有し、外壁部１１ｂの下部が上接合部１５に連続するように形成されている。したがって、上側椅子部材５の周壁部１１の内部は空洞になっており、下面側が開放している。
接合部１５は、上側椅子部材５の下面全周に亘って設けられ、下側椅子部材７に設けられた上接合部１５と嵌合可能になっている。
上側椅子部材５の両側壁の外側上部には、周壁部１１の上端面に載置するテーブル１７の屈曲片１９（図９参照）に係止する係止溝２１が形成されている。
周壁部１１の上端面には、天地逆転して上側椅子部材５を下側にしたときに接地して滑り止めとして機能する滑り止め部材２３が設けられている。
【００２２】
座面部１３の中央部には、図３に示すように、凹陥部２５が形成され、座面マット２７が着脱可能に取り付けられるようになっている。
座面マット２７は、例えばＥＶＡ樹脂（エチレン−酢酸ビニル共重合樹脂）によって形成され、柔らかくて滑りにくくなっている。
【００２３】
座面部１３の前部中央には、座面部１３から隆起すると共に、内部に筒状の筒部２９によって形成された穴部３１を有する膨出部３３が形成されている。
膨出部３３における穴部３１は、安全バー９の支持部として機能し、膨出部３３の外面は乳幼児のずれ止めとして機能する。
膨出部３３の外面は、ずれ止めとして機能するため、緩やかな曲線からなる山形に形成され、その上端面は開口しており、安全バー９の柱部４９が挿入可能になっている。
また、膨出部３３は、安全バー９を安定して固定するため、穴部３１の深さを確保すると共に、乳幼児のずれ止めとして機能させる目的から安全バー９の全高の１/４以上に設定されている。なお、安全バー９を外したときに、周壁部１１にテーブル１７を載せることができるように、膨出部３３の高さは、周壁部１１の高さよりも低く設定されている。
膨出部３３の開口には、安全バー９を挿入しないときに設置するキャップ３７が装着できるようになっている。
【００２４】
穴部３１を形成する筒部２９における下部寄り前面には、後述する安全バー９の係合片５３に係止する係止部３９が形成されている。
穴部３１は底面４０を有し、底面４０には下側椅子部材７との接合を可能にするビス孔４１が形成されている。
【００２５】
膨出部３３の穴部３１には、安全バー９の柱部４９が挿入され、安定的に安全バー９が設置される必要があり、寸法精度が要求される。この点、本実施の形態の上側椅子部材５は射出成形によって成形されているので、この要求を満たすことができる。
また、本実施の形態では、安全バー９を取り付けるために膨出部３３を設けているので、座面部１３の厚みを薄くした状態で、座面部１３の両面に保護枠９を安定的に設置できる。この点、本発明は、座面部１３を厚くして安全バー９の取り付け機構を設けることを排除するものではないが、座面部１３を厚くすると天地を逆さまにすることで座面高さを変更する機能が阻害される。逆に言えば、膨出部３３を設けることで、座面部１３の厚みを厚くすることなく、つまり天地を逆さまにすることで座面高さを変更する機能を阻害することなく、座面部１３の両面に保護枠９を安定的に設置できる。
【００２６】
《下側椅子部材》
下側椅子部材７の基本形状は、上側椅子部材５と同形であるので、図面において下側椅子部材７における上側椅子部材５に対応する部位には同一の符号を付してある。以下において、上側椅子部材５と異なる点を中心に説明する。
下側椅子部材７は、座面部１３と、座面部１３を囲むと共に座面部１３よりも下方に延出するリング状の下接合部１６と、座面部１３の側面側及び背面側に立ち上がるように形成された上側椅子部材５の周壁部１１と異なる高さの周壁部１１とを有している。
下側椅子部材７の周壁部１１の構造は、上側椅子部材５の構造と同様に、座面部１３の両側縁及び後縁から上方に立ち上がる内壁部１１ａと内壁部１１ａの上端から所定の間隔を隔てて下方へ延びる外壁部１１ｂを有し、外壁部１１ｂの下部が下接合部１６に連続するように形成されている。
【００２７】
本実施の形態の下側椅子部材７の周壁部１１の座面部１３からの高さは、上側椅子部材５よりも低く設定されている。
下側椅子部材７の座面部１３に形成された凹陥部２５の形状は上側椅子部材５の凹陥部２５と同形である。そのため、同一の座面マット２７を上側椅子部材５と下側椅子部材７の両方で使用できる。
下側椅子部材７の膨出部３３の形状も、上側椅子部材５の膨出部３３の形状と同形である。そのため、一つの安全バー９を上側椅子部材５と下側椅子部材７の両方に設置できる。
下側椅子部材７の周壁部１１の厚み（内壁部１１ａと外壁部１１ｂの距離）が上側椅子部材５よりも厚く設定され、そのため座面部１３の面積が上側椅子部材５よりも小さくなっている。これは、下側椅子部材７には、より低月齢の乳幼児を座らせるため、座面部１３の面積を小さくして乳幼児を周壁部１１の内壁面で保持して、乳幼児を安定的に着座させるようにするためである。
【００２８】
下側椅子部材７における周壁部１１の下端周面には、上側椅子部材５の上接合部１５と嵌合する下接合部１６が全周に亘って設けられている。
下側椅子部材７の穴部３１にも、上側椅子部材５の穴部３１と同様に底面４０が形成され、底面４０には上側椅子部材５との接合を可能にするビス孔４１が形成されている。
【００２９】
《上側椅子部材と下側椅子部材の接合構造》
上側椅子部材５と下側椅子部材７は、それぞれの座面部１３下面を対向させ、上側椅子部材５の上接合部１５と下側椅子部材７の下接合部１６を嵌合させて合体する。
合体した後は、図３に示すように、上接合部１５と下接合部１６の重畳部における周方向数カ所をビス４７によってビス止めする。なお、ビス４７が見えないようにするための、帯部材４５が外側に配置されている下接合部１６の全周に亘って設置されている。
上側椅子部材５と下側椅子部材７の膨出部３３における底面同士は、図６に示すように、ビス４３によって接合される。
なお、上接合部１５と下接合部１６の接合及び底面同士の接合は、ビスの他、接着剤によって接合してもよいし、嵌め殺しによって接合してもよい。
【００３０】
上側椅子部材５と下側椅子部材７の底面同士を接合することにより、膨出部３３の筒部２９が安定し、安全バー９を挿入して設置したときに、安全バー９に横方向の力が作用しても筒部２９の撓みが防止され、これによって安全バー９の安定化を図っている。
なお、下側椅子部材７の底面４０と上側椅子部材５の底面４０とを嵌合させてビス止めするようにすれば筒部２９の撓み防止効果がより高くなるので好ましい。
【００３１】
＜安全バー＞
安全バー９は、図４に示されるように、縦方向に延びる柱部４９と、柱部４９の上端において水平方向に延びる横棒部５１を有し、全体形状が略Ｔ字形状をしている。
柱部４９の内部には、出没可能な係合片５３を有する操作部材５５が設置されている。操作部材５５は、図３、図５に示すように、柱部４９の内部において、図中の矢印に示すように前後に移動可能に設置され、常時はバネ５７によって前方向に付勢されている。
操作部材５５は、操作ボタン５９を有し、該ボタンを押すことで、操作部材５５が後退して、係合片５３が柱部４９の前壁から没入する。これによって、筒部２９に形成された係止部３９との係合が外れる。
【００３２】
上記のような幼児用椅子１の使用方法を説明する。
乳幼児の月齢によって、上側椅子部材５を上側にしたり、あるいは下側椅子部材７を上側にしたりして使用する。上側椅子部材５を上側にしたときの座面部１３が下側椅子部材７を上側にしたときの座面部１３より低くなるので、大人用のテーブルの横に置かれた大人用の椅子に幼児用椅子１を載せたときに、座面部１３と大人用のテーブルの距離が長くなる。このため、上側椅子部材５を上側にして使用するのは、月齢のより高い乳幼児のときの使用態様となる。
【００３３】
乳幼児を座らせる場合、安全バー９を取り外し、座面マット２７を設置した状態で、座面部１３に乳幼児を座らせ、安全バー９を設置する。安全バー９の設置は、膨出部３３の穴部３１に安全バー９の柱部４９の下端部を挿入することで、係合片５３が筒部２９の係止部３９に係合して設置される。
乳幼児は安全バー９を押したり引いたりするため、安全バー９の下端部から穴部３１の筒部２９に応力が作用する。しかし、穴部３１の底面４０が、上側椅子部材５側と下側椅子部材７側で接合されて筒部２９が底面４０で拘束されることで筒部２９が撓みにくく、安全バー９がぐらつくことがない。
【００３４】
安全バー９を取り外し、膨出部３３の穴部３１にキャップ３７を設置した状態で使用することもできる（図６参照）。この場合、膨出部３３がずれ止めとして機能する。
また、安全バー９を取り外した状態で、図８に示すように、周壁部１１の上端面にテーブル１７を設置することもできる。テーブル１７の設置に際しては、図９に示すように、テーブル１７の下面に設けた屈曲片１９を周壁部１１の係止溝２１に挿入するようにする。
テーブル１７を設置したときには、安全バー９を設置できないが、座面部１３には膨出部３３があり、かつテーブル１７があることから乳幼児の抜け出しやずり落ちを防止できる。なお、テーブル１７は、幼児用椅子１を床面に置いて使用する際に便利である。
安全バー９を取り外すには、操作ボタン５９を押し込み、係合片５３の係止部３９に対する係止を外した状態で、上方に引抜くようにすればよい。
【００３５】
低月齢の乳幼児に使用する場合には、図７に示すように、上側椅子部材５と下側椅子部材７を天地逆転させて上側椅子部材５を下側にすればよい。この場合でも、同一の安全バー９を使用することができる。
【００３６】
以上のように、本実施の形態の幼児用椅子１は、一つの安全バー９を上側椅子部材５と下側椅子部材７の両方に使用でき、かつ座面部１３には膨出部３３が設けられているので、膨出部３３によって安全バー９を支持する距離を長くでき、座面部１３を厚くすることなく安全バー９を安定的に設置でき、乳幼児を安全に座らせることができる。また、安全バー９を取り外してテーブル１７を使用する際にも、膨出部３３がずれ止めとして機能し、乳幼児のずり落ちを防止できる。
また、本実施の形態では、本体部３を射出成形で成形しているので、この種の物品を従来成形方法であるブロー成形によって成形する場合に比較して、細部の寸法精度を向上させることができる。その結果、上側椅子部材５と下側椅子部材７のそれぞれに膨出部３３を設け、膨出部３３に安全バー９を着脱可能に取り付けるという寸法精度を要求される構造を実現できている。
【００３７】
上記のような幼児用椅子１の製造方法を説明する。
上側椅子部材５と下側椅子部材７をそれぞれ射出成形によって成形する。射出成形は寸法精度に優れるので、膨出部３３の穴部３１の寸法や、係止部３９の位置を正確に形成することができる。
上側椅子部材５と下側椅子部材７は座面部１３の下面側を対向させ、上側椅子部材５の上接合部１５に下側椅子部材７の下接合部１６を嵌合させ、上接合部１５と下接合部１６を貫通させるようにビス止めを行い上側椅子部材５と下側椅子部材７を一体化する。そして、外側に配置された下接合部１６を覆うように帯部材４５を全周に亘って設置する。
下側椅子部材７の膨出部３３の穴部３１の底に、図６に示すように、ビス４３を挿入して、上側椅子部材５の底部と下側椅子部材７の底部をビス止めする。
【００３８】
本実施の形態の幼児用椅子１は、上側椅子部材５と下側椅子部材７を射出成形で成形しているので、膨出部３３の穴部３１の筒部２９の寸法精度を高め、安全バー９を着脱可能に設置できる構造を成形法によって形成することを可能にしている。この点、従来例のようにブロー成形では、寸法精度が低くなることから、膨出部３３の筒部２９の構造を成形することができない。
【符号の説明】
【００３９】
１  幼児用椅子
３  本体部
５  上側椅子部材
７  下側椅子部材
９  安全バー
１１  周壁部
１１ａ  内壁部
１１ｂ  外壁部
１３  座面部
１５  上接合部
１６  下接合部
１７  テーブル
１９  屈曲片
２１  係止溝
２３  滑り止め部材
２５  凹陥部
２７  座面マット
２９  筒部
３１  穴部
３３  膨出部
３７  キャップ
３９  係止部
４０  底面
４１  ビス孔
４３  ビス
４５  帯部材
４７  ビス
４９  柱部
５１  横棒部
５３  係合片
５５  操作部材
５７  バネ
５９  操作ボタン
【図１】
2014023822.tif 000003
【図２】
2014023822.tif 000004
【図３】
2014023822.tif 000005
【図４】
2014023822.tif 000006
【図５】
2014023822.tif 000007
【図６】
2014023822.tif 000008
【図７】
2014023822.tif 000009
【図８】
2014023822.tif 000010
【図９】
2014023822.tif 000011
【図１０】
2014023822.tif 000012
【図１１】
2014023822.tif 000013